(57)【要約】【課題】  使用および保守における利便性に優れた多機能蚊取り器を提供する。【解決手段】  蚊取り器は、太陽光を利用して発電し、外付けの電源が不要な蚊取りランプの一種であり、近紫外線の波長で蚊を誘引して電撃し、第一の蚊取効果を発揮する。本体内部には酸性液体の誘引剤を充填し、紫外線ＬＥＤランプの照射によって本体内部の温度を上昇させ、人の体臭を模したにおいの発生を促し、蚊を強烈に引き付ける作用を備え、第二の殺虫効果を発揮する。また本体内部には酸化チタンのメッシュスクリーンを設け、紫外線ＬＥＤランプで照射されると触媒反応が起き、蚊を電撃することで発生する異臭を除去するだけでなく、空気中の有機物を二酸化炭素と水に分解し、蚊に対して決定的な誘引力を備え、第三の殺虫効果を発揮する。【選択図】      図１
2013039080.tif 000002
【特許請求の範囲】
【請求項１】
電気ユニット、保護ガードユニット、およびサポートユニットを含む多機能蚊取り器であって、
電気ユニットと保護ガードユニットの下部にはいずれも凸縁が設けられており、電気ユニットおよび保護ガードユニットは凸縁を介して保護ガードユニットおよびサポートユニットにそれぞれ装着することが可能であり、電気ユニット、保護ガードユニットおよびサポートユニットはいずれもモジュール化されており、モジュールとして組み立ておよび取り外しが可能である、ことを特徴とする多機能蚊取り器。
【請求項２】
電気ユニットは、太陽光パネル、可撓導線、電力蓄積セル、複数のパッド、上部カバーボード片、上部カバーボード凸縁、複数の電圧ネットブラケット、複数のワイヤ及び複数の紫外線ランプを含み、
太陽光パネルは可撓導線と接続されることによって、電気エネルギーを電力蓄積セルに送り蓄えることが可能であり、電力蓄積セルは複数のネジを使用して太陽光パネルの背面に固定され、
上部カバーボードモジュールの上部には太陽光パネルをネジで固定するための複数のパッドが接着して固定され、上部カバーボード片の下部には上部カバーボードの凸縁が接着によって固定され、底部の両側にはそれぞれ電圧ネットブラケットが接着によって固定され、
電圧ネットモジュールはワイヤを利用して、電力蓄積セルから倍電圧整流回路装置まで接続され、さらに電圧ネットまで接続されている、ことを特徴とする請求項１に記載の多機能蚊取り器。
【請求項３】
保護ガードユニットは、保護ガード上部固定フレーム、複数のリーフ状の保護ガード、保護ガード下部固定フレーム、および保護ガードユニット凸縁を含み、
保護ガードユニットの各構成パーツはいずれもプラスチック材質で作製され、接着によって固定され、リーフ状の保護ガードは指および異物が電圧ネットに接触しないよう保護し、リーフ状の保護ガードは蛍光剤が添加されており、透光性を備え、蚊に対する誘引作用を有する、ことを特徴とする請求項１に記載の多機能蚊取り器。
【請求項４】
サポートユニットは、下部カバーボードモジュール、酸化チタンのメッシュスクリーンおよび液体誘引剤の容器を含み、
下部カバーボードモジュールの光沢メタル部分は複数の誘引剤揮發孔を備え、においを外部に放散させることが可能であり、下部カバーボードモジュールの左右にはそれぞれ、ユーザーが開閉できるよう、下部カバーボードのつまみが接着によって固定され、誘引剤揮發孔のもう一方には、複数の定位ブロックが接着によって固定され、酸化チタンのメッシュスクリーンの固定に用いられ、
液体誘引剤の容器の側面は透明な液面確認用窓を有し、ユーザーは随時、この窓を介して容器内の液体残量および容器内の清浄度を確認することが可能であり、
液体誘引剤の容器の底部は、複数の固定脚が接着によって固定され、容器内部の四隅には、保護ガードユニットの支えおよび位置決め用として、下部カバーボード支柱がそれぞれ設けられていることを特徴とする請求項１に記載の多機能蚊取り器。
【発明の詳細な説明】
【技術分野】
【０００１】
本発明は、電撃による殺虫に加えて、蚊を誘引する複数の手段を備えた、多機能蚊取り器に関し、特に、使用および保守における利便性に優れた多機能蚊取り器に関する。
【背景技術】
【０００２】
年間を通じて高温多湿の傾向にある、特に亜熱帯気候に属する地域においては、蚊が非常に発生しやすい。そのため人々は頻繁に蚊に刺されて皮膚を赤く腫らし、苦労している。たとえば亜熱帯気候に属する台湾では、市販の蚊取りランプの商品広告によると、台湾人は毎年平均８４０回も蚊に刺されているとされる。至る所に蚊が飛び回り、蚊に刺されると、軽度でも痒みに悩まされ、中度では精神的に衰弱し不眠をわずらい、重度になるとデング熱や日本脳炎をわずらう場合もある。毎年夏が始まると蚊の攻撃はその激しさを増し、蚊は国民の敵となることから、蚊の撃滅と駆除は、夏の到来と共に国民的運動と化す。
【０００３】
現在、蚊の撃滅用器具における原理は続々と刷新され、その種類は多彩で枚挙にいとまがないほどである。一般的に、蚊取りランプにはエコロジーで人体に危害を及ぼさないという利点がある。そのため蚊取りランプで蚊を誘引し、さらに高圧電流を使って電撃する商品が自ずと人気を博している。現在、市販されている大部分の蚊取りランプは、蚊の走光性の原理を利用して設計されたもので、蚊が蚊取りランプの光に誘引され、蚊取りランプに向かって飛んできたときに、ランプの周りを囲んでいる高圧の電圧ネットに接触し、瞬時に焼け焦げるものである。蚊取りラケットもほぼ同様の原理である。
【０００４】
蚊取り器に関する先行技術として、以下の特許文献１〜３９が挙げられる。また、これらの特許文献１〜３９のほかに、蚊の捕獲と撃滅効果とを備える以下の意匠登録が挙げられる。「蚊取りランプケース」（台湾意匠登録第Ｄ１３２６８８号）；「虫取りランプ」（台湾意匠登録第Ｄ１２７３１２号）；「蚊取り缶」（台湾意匠登録第Ｄ１２３１４３号）；「蚊取りランプ」（台湾意匠登録第Ｄ１２２７５０号）；「蚊誘引器」（台湾意匠登録第Ｄ１２２４７０号）；「蚊・虫誘引撃滅器」（台湾意匠登録第Ｄ１２１１５９号）；「蚊・虫誘引撃滅器（一）」（台湾意匠登録第Ｄ１２１１５８号）。
【先行技術文献】
【特許文献】
【０００５】
【特許文献１】台湾実用新案登録第Ｍ３９２９００号明細書
【特許文献２】台湾実用新案登録第Ｍ３９２５５１号明細書
【特許文献３】台湾実用新案登録第Ｍ３９１８３８号明細書
【特許文献４】台湾実用新案登録第Ｍ３９００４９号明細書
【特許文献５】台湾実用新案登録第Ｍ３８８８４５号明細書
【特許文献６】台湾実用新案登録第Ｍ３８８２１９号明細書
【特許文献７】台湾実用新案登録第Ｍ３８４５３４号明細書
【特許文献８】台湾実用新案登録第Ｍ３８２００６号明細書
【特許文献９】台湾実用新案登録第Ｍ３６８３０５号明細書
【特許文献１０】台湾実用新案登録第Ｍ３７７０７７号明細書
【特許文献１１】台湾実用新案登録第Ｍ３７７０７８号明細書
【特許文献１２】台湾実用新案登録第Ｍ３６７５８５号明細書
【特許文献１３】台湾実用新案登録第Ｍ３６７５８４号明細書
【特許文献１４】台湾実用新案登録第Ｍ３６６３０１号明細書
【特許文献１５】台湾実用新案登録第Ｍ３６５０６７号明細書
【特許文献１６】台湾実用新案登録第Ｍ３５９２０５号明細書
【特許文献１７】台湾実用新案登録第Ｍ３５７８６４号明細書
【特許文献１８】台湾実用新案登録第Ｍ３５０９８７号明細書
【特許文献１９】台湾実用新案登録第Ｍ３４８４７８号明細書
【特許文献２０】台湾実用新案登録第Ｉ３０１７４８号明細書
【特許文献２１】台湾実用新案登録第Ｍ３３５１４４号明細書
【特許文献２２】台湾実用新案登録第Ｍ３３５１４３号明細書
【特許文献２３】台湾実用新案登録第Ｍ３３３０６８号明細書
【特許文献２４】台湾実用新案登録第Ｍ３３２３７６号明細書
【特許文献２５】台湾実用新案登録第Ｍ３３１８８１号明細書
【特許文献２６】台湾実用新案登録第Ｍ３３１２８７号明細書
【特許文献２７】台湾実用新案登録第Ｍ３２９９７５号明細書
【特許文献２８】台湾実用新案登録第Ｍ３２８７７４号明細書
【特許文献２９】台湾実用新案登録第Ｍ３１１２６２号明細書
【特許文献３０】台湾実用新案登録第Ｍ３０７９６５号明細書
【特許文献３１】台湾実用新案登録第Ｍ３０７３０２号明細書
【特許文献３２】台湾実用新案登録第Ｍ３０６７７８号明細書
【特許文献３３】台湾実用新案登録第Ｍ３０６７７７号明細書
【特許文献３４】台湾実用新案登録第Ｍ３０４２２１号明細書
【特許文献３５】台湾実用新案登録第Ｍ３０４２２０号明細書
【特許文献３６】台湾実用新案登録第Ｍ３８８８４６号明細書
【特許文献３７】台湾実用新案登録第Ｍ３８１２７９号明細書
【特許文献３８】台湾実用新案登録第Ｍ３６９０３９号明細書
【特許文献３９】台湾実用新案登録第Ｍ３４９１９４号明細書
【発明の概要】
【発明が解決しようとする課題】
【０００６】
蚊は走光性があり、特殊な波長光線に対して敏感で、温暖な環境を好んで活動する。蚊が最も活発に活動する環境は２５〜３５℃で、地上約１．８〜２．５メートルの高さで飛行して空中で活動する。本発明は、このような蚊の習性を利用して、蚊を効率よく駆除することが可能な蚊取り器を提供することを目的とし、特に、使用および保守における利便性に優れた多機能蚊取り器を提供することを目的とする。
【課題を解決するための手段】
【０００７】
本発明では波長３８０ｎｍ〜４１０ｎｍ、大きさ５ｍｍの近紫外線のＬＥＤ光源を使用して蚊を誘引する。外側の保護ネットは指や異物が電圧ネットに接触しないよう透明なリーフ状の保護ガードで守られており、またリーフ状の保護ガードは蛍光剤を添加して透光性をもたせ、誘引効果を向上させている。電圧ネットは二層の高密度の金属ネットで、導電性に優れる。
【０００８】
電源は太陽光で直接供給するだけでなく、その他にも３．７Ｖの充電リチウム電池を備え、電圧を５Ｖから３．７Ｖに下げることによって、充電器を使用して電気エネルギーが補充できる。蚊取りランプの高圧電流は安定しており、電源を切った後に、余剰の高圧電力は自動的に除去される。蚊取りランプは紫外線を光源とし、人体に影響を及ぼすため、紫外線の照射で眼や肌を傷つけないよう、人体から１メートル以上離して使用する、或いは人がいないときに使用することを推奨する。
【発明の効果】
【０００９】
本発明は太陽光を利用して発電するため、外付けの電源が不要である。軽量かつ小型で、屋外へ持ち出して使用できるため、「どこでも使用可能」であるといえ、環境にやさしく利便性にも優れている。本発明は太陽光だけでなく充電器も備え、暗く太陽光が無い場所においても長時間使用でき、「昼夜を問わない使用が可能」であり、省エネルギーで実用性も高い。
【００１０】
本発明は主に近紫外線の波長を利用して蚊を誘引し、電撃で殺虫効果を発揮し、屋内外での蚊取り機能に優れている。蚊にはさまざまな種類があり、紫外線の蚊に対する誘引力もそれぞれ異なる。例えばネッタイイエカは光に比較的敏感で、蚊取りランプで容易に捕獲できるが、ヒトスジシマカやネッタイシマカは光に敏感ではなく、紫外線の誘引による蚊取りランプでは捕獲しにくい。そのため、本発明では本体内部に人の体臭を模したにおいを発生する酸性液体の誘引剤を充填し、紫外線ＬＥＤランプの照射で本体内部の温度を上昇させることで、一部種類の蚊に対する誘引力は紫外線を遥かに上回り、二重の殺虫効果を発揮する。
【００１１】
このほか、本発明は本体内部に酸化チタン（ＴｉＯ２）のメッシュスクリーンを設け、紫外線ＬＥＤランプの照射を受けて、光触媒が形成され触媒反応が起こり、蚊を電撃することで発生する異臭を除去するだけでなく、空気中の有機物を分解して二酸化炭素に変化させることで、蚊に対して同様の誘引力を備え、三重の殺虫効果を発揮する。
【００１２】
本発明では本体内部に人の体臭を模したにおいを発生させる酸性液体の誘引剤を充填し、紫外線ＬＥＤランプで本体内部の温度を上昇させることで、一部種類の蚊に対する誘引力は紫外線光を遥かに上回る。また、微生物の代謝物を利用して人間の皮膚が発散するにおいを模し、吸血を行うメスの蚊を誘引する。新聞の報道によれば、この種の物質が蚊を誘引できる範囲は直径７メートルに及ぶ。酸性液体或いは微生物の代謝物は蚊に対する誘引効果が高く、また天然成分で環境にやさしい上に毒性も低く、また疾病の媒介となる蚊の種類に薬剤耐性が生まれないことから、蚊の誘引、撃滅効果の促進に幅広く応用できる。
【００１３】
本発明は、本体の中に酸化チタンのメッシュスクリーンを設け、紫外線光によって酸化チタンに光触媒反応を起こさせ、空気中の有機物を二酸化炭素（２００〜３００ｐｐｍ）に変え、それと同時に水分が形成され湿度が高まり、本体から人の呼吸に近いものが発散されることで、蚊や走光性の飛翔虫を誘引することができる。
【００１４】
本発明は太陽光を利用して発電させるため、外付けの電源が不要である。軽量かつ小型で、屋外へ持ち出して使用できるため、「どこでも使用可能」であるといえ、環境にやさしく利便性にも優れる。本発明は太陽光だけでなく充電器も備え、暗く太陽光が無い場所においても長時間使用でき、「昼夜を問わない使用が可能」であり、省エネルギーで実用性も高い。本蚊取りランプは優れた蚊取り効果を発揮し、使用寿命が長く、従来の蚊取りランプの概念を覆し、旧式の蚊取りランプにおける制約を克服した、評価に値する製品である。本発明はモジュール化設計を採用し、シンプルな構造設計で簡単に組み立ておよび取り外しができ、利便性に優れるだけでなく交換も容易である。
【図面の簡単な説明】
【００１５】
【図１】本発明における多機能蚊取り器の一実施形態の立体組立図である。
【図２】本発明における多機能蚊取り器の一実施形態の立体分解図である。
【図３】本発明における多機能蚊取り器の一実施形態の電気ユニット１の立体分解図である。
【図４】本発明における多機能蚊取り器の一実施形態の保護ガードユニット２の立体分解図である。
【図５】本発明における多機能蚊取り器の一実施形態のサポートユニット３の立体分解図である。
【発明を実施するための形態】
【００１６】
図１は本発明の多機能蚊取り器の一実施形態を示す多面的な立体組立図であり、全体構造が小型でシンプルであることがわかる。主な構造は、電気ユニット１、保護ガードユニット２、サポートユニット３の３つの部分に区分される。このうち、電気ユニット１と保護ガードユニット２の下部にはいずれも凸縁を設け、保護ガードユニット２およびサポートユニット３にそれぞれしっかりと装着することができる。本発明の各ユニット１〜３はいずれもモジュール化され、すべてのモジュールは容易な組み立てと使用、および取り外しと清掃が可能である。本発明の各モジュールはいずれもシンプルなパーツであり、プラスチック材質部分はいずれも射出成形による製作が可能で、電子ユニットはいずれも技術の成熟したスタンダード製品を使用できる。
【００１７】
図２は本発明の多機能蚊取り器の一実施形態を示す立体分解図であり、モジュール化された取り付けユニットをより詳細に確認できる。このうち、電気ユニット１には、太陽光モジュール１１、上部カバーボードモジュール１２、電圧ネットモジュール１３、紫外線ランプモジュール１４の４つのモジュールが含まれる。保護ガードユニット２には、保護ガード上部固定フレーム２１、リーフ状の保護ガード２２、保護ガード下部固定フレーム２３、保護ガードユニット凸縁２４の４つのモジュールが含まれる。サポートユニット３には、下部カバーボードモジュール３１、酸化チタンのメッシュスクリーン３２、および液体誘引剤の容器３３の３つのモジュールが含まれる。
【００１８】
図３は本発明における多機能蚊取り器の一実施形態の電気ユニット１の立体分解図であり、各構成パーツの配置が確認できる。このうち、太陽光パネル１１１は可撓導線１１２と接続されることによって、電気エネルギーを電力蓄積セル１１３に送り、その中の充電器に電気エネルギーを蓄えることができる。このうち、電力蓄積セル１１３は複数のネジを使用して太陽光パネル１１１の背面に固定される。上部カバーボードモジュール１２の上部には太陽光パネル１１１をネジで固定するための複数のパッド１２１を設け、パッド１２１は上部カバーボード片１２２に接着によって直接固定される。上部カバーボード片１２２の下部には上部カバーボード凸縁１２３が接着によって固定され、上部カバーボードモジュール１２の底部には複数の電圧ネットブラケット１２４が接着によって固定される。
【００１９】
さらに図３からは、電圧ネットモジュール１３がワイヤ１３１を利用し、電力蓄積セル１１３から電圧ネット１３２まで直接接続させ、一連の整流半導体とコンデンサとの組み合わせから成る倍電圧整流回路装置１３３によって、蚊を蚊取り器に誘引するときに、電圧ネット１３２が瞬時に蚊を撃滅する機能を発揮することがわかる。電圧ネット１３２は電気蚊取りラケットの二重金属網を採用して円柱型に作成し、細かい網の目によってコバエや小黒蚊（ヌカカ）も逃すことがない。電圧ネット１３２は高圧電子回路設計を採用することで威力を強め、寿命をより延ばすことができる。紫外線ランプモジュール１４は蚊取り器を小型化する上での鍵となる。本発明では、紫外線ランプモジュール１４は複数のワイヤ１４１を採用し、電力蓄積セル１１３から紫外線ランプ１４２に直接接続される。紫外線ランプ１４２は大きさ５ｍｍのＬＥＤ、波長は３７０ｎｍに近いものを使用する。
【００２０】
図４は本発明の多機能蚊取り器の一実施形態の保護ガードユニット２の立体分解図であり、本ユニット２には保護ガード上部固定フレーム２１、複数のリーフ状の保護ガード２２、保護ガード下部固定フレーム２３、および保護ガードユニット凸縁２４が含まれることがわかる。本ユニット２の各構成パーツはいずれもポリプロピレン（ＰＰ）を材料とし、接着によって固定し成型される。ポリプロピレンの耐熱温度は９０℃で、耐熱性、電気特性、薬剤耐性に優れる長所を備え、またプラスチック原料の中で最も軽量であるため、本発明における最良の材料である。
【００２１】
図５は本発明の多機能蚊取り器の一実施形態のサポートユニット３の立体分解図であり、サポートユニット３は下部カバーボードモジュール３１の光沢メタル部分に複数の液体誘引剤揮発孔３１１を備えることがはっきりとわかる。これは主に、誘引剤の容器に充填される酸性液体、或いは微生物の代謝物がこれらの孔を通じて、その作り出したにおいを外部に放散できるよう設けられたものである。下部カバーボードモジュール３１の左右には、ユーザーが開閉できるよう、下部カバーボードのつまみ３１２がそれぞれ接着によって固定される。このほか、液体誘引剤の揮発孔のもう一方には、複数の定位ブロック３１３が接着によって固定され、酸化チタンのメッシュスクリーンの固定に用いることができる。液体誘引剤の容器側面には透明な液面確認用窓３３１を備え、ユーザーは随時、容器内の酸性液体、或いは微生物代謝物の残量を確認でき、この窓から容器内の清浄度も確認できる。液体誘引剤の容器の底部には複数の固定脚３３２が接着によって固定され、ネジを調整することで多機能蚊取り器をどこにでも安定して設置することができる。容器内部の四隅には、保護ガードユニット２の支えおよび位置決め用として、下部カバーボード支柱３３３がそれぞれ設けられる。
【符号の説明】
【００２２】
１    ：電気ユニット
１１  ：太陽光モジュール
１１１：太陽光パネル
１１２：可撓導線
１１３：電力蓄積セル
１２  ：上部カバーボードモジュール
１２１：パッド
１２２：上部カバーボード片
１２３：上部カバーボード凸縁
１２４：電圧ネットブラケット
１３  ：電圧ネットモジュール
１３１：ワイヤ
１３２：電圧ネット
１３３：倍電圧整流回路装置
１４  ：紫外線ランプモジュール
１４１：ワイヤ
１４２：紫外線ランプ
２    ：保護ガードユニット
２１  ：保護ガード上部固定フレーム
２２  ：リーフ状の保護ガード
２３  ：保護ガード下部固定フレーム
２４  ：保護ガードユニット凸縁
３    ：サポートユニット
３１  ：下部カバーボードモジュール
３１１：誘引剤揮発孔
３１２：下部カバーボードつまみ
３１３：定位ブロック
３２  ：酸化チタンメッシュスクリーン
３３  ：液体誘引剤の容器
３３１：液面確認用窓
３３２：固定脚
３３３：下部カバーボード支柱
【図１】
2013039080.tif 000003
【図２】
2013039080.tif 000004
【図３】
2013039080.tif 000005
【図４】
2013039080.tif 000006
【図５】
2013039080.tif 000007